(57)【要約】【課題】単純な構成で且つ小さな消費電力で火災の発生及び正常な稼動中であることを明確に表示することができる火災感知器を提供することを課題とする。【解決手段】表示灯７は、発光チップ１３を透明樹脂１４で封入すると共に透明樹脂１４から外部にリード部１５が引き出された構造の発光ダイオードから形成されており、発光チップ１３の一部がカバー部材２の外面２ａより外側に位置し、残部がカバー部材２の外面２ａより内側に位置するように、表示灯７の先端部がカバー部材２の表示灯用開口部６から下方へ突出して取り付けられている。これにより表示灯７は開口窓からの外気の取り入れ等を妨げることなく高い視認性を有する。また、カバー部材２に対する表示灯７のこのような位置決めは、リード部１５を本体１内のプリント回路基板１０に接続固定することによりなされている。【選択図】図４
2005284917.tif 000002
【特許請求の範囲】
【請求項１】
火災の発生または正常な稼働中であることを表示するための表示灯を備えた火災感知器において、
表示灯が発光ダイオードからなり、発光ダイオードの内部に配置された発光チップの一部が感知器ケーシングの外面より外側に位置し、残部が感知器ケーシングの外面より内側に位置することを特徴とする火災感知器。
【請求項２】
表示灯は、発光チップを透明樹脂で封入すると共に透明樹脂から外部にリード部が引き出された構造の発光ダイオードからなり、リード部が感知器ケーシングの内部に配設されたプリント回路基板に接続固定されることにより感知器ケーシングに対する位置決めがなされる請求項１に記載の火災感知器。
【発明の詳細な説明】
【技術分野】
【０００１】
この発明は、火災感知器に係り、特に火災発生及び正常稼動中などを表示するための表示灯を備えた火災感知器に関する。
【背景技術】
【０００２】
従来より、火災感知器には、火災の発生や、正常な稼動中であること等を表示するための表示灯が設けられている。例えば特許文献１に開示されている火災感知器では、ケーシングの内部に発光ダイオードを配置し、この発光ダイオードの光を光導出部材によりケーシングの外部へ導出することにより表示灯としての表示を行っている。
【０００３】
【特許文献１】特開平９−２３１４８３号公報
【発明の開示】
【発明が解決しようとする課題】
【０００４】
しかしながら、上述のような火災感知器では、発光ダイオードの光をケーシングの外部へ導出するための光導出部材を設ける必要があるため、感知器全体の構造が複雑になってしまう。
また、発光ダイオードからの光は光導出部材内を進行する際に減衰してしまうため、視認できるようにするためにはこの発光ダイオードの光量を大きく設定する必要があり、その結果、感知器全体の消費電力が大きくなってしまう。
この発明はこのような問題点を解消するためになされたもので、単純な構成で且つ小さな消費電力で火災の発生及び正常な稼動中であることを明確に表示することができる火災感知器を提供することを目的とする。
【課題を解決するための手段】
【０００５】
この発明に係る火災感知器は、火災の発生または正常な稼働中であることを表示するための表示灯を備えた火災感知器において、表示灯が発光ダイオードからなり、発光ダイオードの内部に配置された発光チップの一部が感知器ケーシングの外面より外側に位置し、残部が感知器ケーシングの外面より内側に位置するものである。
発光チップの一部は感知器ケーシングの外面より外側に位置すると共に残部は感知器ケーシングの外面より内側に位置しているため、この表示灯は火災感知部への外気の流通を妨げる等の不具合を生じることがないと共に、高い視認性を有し、その発光を目視により十分確認することができる。
【０００６】
表示灯は、発光チップを透明樹脂で封入すると共に透明樹脂から外部にリード部が引き出された構造の発光ダイオードからなり、リード部を感知器ケーシングの内部に配設されたプリント回路基板に接続固定することにより表示灯の感知器ケーシングに対する位置決めをすることができる。
【発明の効果】
【０００７】
この発明によれば、表示灯が発光ダイオードからなり、発光ダイオードの内部に配置された発光チップの一部が感知器ケーシングの外面より外側に位置し、残部が感知器ケーシングの外面より内側に位置するようにしたので、単純な構成で且つ小さな消費電力で火災の発生及び正常な稼動中であることを明確に表示することができる。
【発明を実施するための最良の形態】
【０００８】
以下、この発明の実施の形態を添付図面に基づいて説明する。
図１及び２に実施の形態に係る火災感知器を示す。この火災感知器は、光電式煙感知器であり、監視区域の天井面に設置される円筒形状の本体１とこの本体１の下面を覆うカバー部材２とからなる感知器ケーシングを有している。カバー部材２の中央部３が下方に突出して、その周縁に外気を取り入れるための開口窓４が形成され、開口窓４の内側に防虫網５が張設されている。防虫網５の内側には開口窓４を通して取り入れた外気中の煙の存在を検知する煙検出部が形成されている。カバー部材２には、中央部３を挟むように一対の表示灯用開口部６が形成され、これら開口部６内にそれぞれ表示灯７が配置されている。また、カバー部材２には、送光用開口部８が形成され、その中に通信用発光素子９が配置されている。
【０００９】
図３に示されるように、本体１内にはプリント回路基板１０が固定され、プリント回路基板１０に煙検出部を構成する発光素子１１と受光素子１２が接続されている。これら煙検出用の発光素子１１及び受光素子１２は中央部３内において互いに所定の角度をなして配置されており、通常は発光素子１１から発せられた光が直接受光素子１２に到達しないが、発光素子１１と受光素子１２との間の空間に、外部から流入した煙粒子が存在すると、発光素子１１から発せられた光が煙粒子で散乱してその散乱光が受光素子１２に到達し、これにより煙が検出されるように構成されている。
【００１０】
また、表示灯７は、この火災感知器が正常な稼働中であることを所定の周期で点滅するブリンキング動作により表示すると共に火災の発生時には点灯してその旨を表示するためのもので、発光ダイオードから形成されている。図４に示されるように、表示灯７を構成する発光ダイオードは、発光チップ１３を透明樹脂１４で封入すると共に透明樹脂１４から外部にリード部１５が引き出された構造を有しており、発光チップ１３の一部がカバー部材２の外面２ａより外側に位置し、残部がカバー部材２の外面２ａより内側に位置するように、表示灯７の先端部がカバー部材２の表示灯用開口部６から下方へ突出して取り付けられている。カバー部材２に対する表示灯７のこのような位置決めは、リード部１５を本体１内のプリント回路基板１０に接続固定することによりなされている。
【００１１】
次に、この実施の形態に係る火災感知器の動作について説明する。火災等が発生していない通常時には、表示灯７が所定の周期で点滅するブリンキング動作を行い、これにより火災感知器が正常に稼働していることが表示される。またこのとき、火災感知器は、開口窓４からカバー部材２内に流入する外気中の煙濃度を監視しており、外気中に煙粒子が存在すると、発光素子１１から発せられた光が煙粒子で散乱すると共にその散乱光が受光素子１２に到達して煙が検出される。
この煙の検出濃度が所定値以上になると、火災感知器は火災の発生を感知し、これにより表示灯７が点灯状態となってその旨が表示されると共に火災感知器から図示しない火災受信機に火災発生が通知され、火災受信機によって警報機器や消火機器、防排煙機器等が作動される。
【００１２】
ここで、発光ダイオードによる表示灯７の発光チップ１３の一部はカバー部材２の外面２ａより外側に位置すると共に残部はカバー部材２の外面２ａより内側に位置しているため、表示灯７は開口窓４からの外気の取り入れを妨げる等の不具合を生じることなく高い視認性を有し、その発光を目視により十分確認することができる。従って、消費電流を抑えた発光ダイオードを表示灯７として用いても、火災の発生や正常な稼動中であることを明確に表示することができ、感知器全体の省電力化につながる。その結果、従来のように光導出部材を設ける必要もなく、これにより単純な構成で且つ小さな消費電力で明確な表示を行うことができる火災感知器を実現することができる。
【００１３】
また、一対の表示灯７はカバー部材２の中央部３を間に挟むように配置されているため、どこから見てもこれら一対の表示灯７のうち少なくとも１つを確認することができる。
また、治具を用いて表示灯７のリード部１５を本体１内のプリント回路基板１０に接続固定することにより、表示灯７のカバー部材２に対する位置決めを容易に行うことができる。
また、表示灯７の発光チップ１３は透明樹脂１４で封入されているため、非点灯時には表示灯７が外観上目立たなくなっている。
【００１４】
なお、上述の実施の形態では、火災等が発生していない通常時に火災感知器において故障などの異常が発生した場合には、表示灯７が所定の周期で２回続けて点滅するダブルブリンキング動作などにより、その旨を表示することもできる。
また、上述の実施の形態において、火災感知器は所定の周期でその時々の煙検出用の受光素子１２の出力値をＡ／Ｄ変換し、これを感度データとして通信用発光素子９から赤外線により送信するような構成になっている。そこで、保守点検の際に作業者が端末器を手に持って火災感知器から感度データを受け取り、火災感知器の状態を詳細に把握することができる。
【００１５】
なお、上記の実施の形態では光電式煙感知器について説明したが、これに限るものではなく、この発明はイオン化式煙感知器、熱感知器、炎感知器等の他の火災感知器に広く適用することが可能である。
【図面の簡単な説明】
【００１６】
【図１】この発明の実施の形態に係る火災感知器を示す側面図である。
【図２】実施の形態に係る火災感知器を示す下面図である。
【図３】実施の形態に係る火災感知器の内部構造を示す断面図である。
【図４】実施の形態に係る火災感知器の表示灯を示す部分拡大断面図である。
【符号の説明】
【００１７】
１  本体、２  カバー部材、２ａ  外面、３  中央部、４  開口窓、５  防虫網、６  表示灯用開口部、７  表示灯、８  送光用開口部、９  通信用発光素子、１０  プリント回路基板、１１  発光素子、１２  受光素子、１３  発光チップ、１４  透明樹脂、１５  リード部。
【図１】
2005284917.tif 000003
【図２】
2005284917.tif 000004
【図３】
2005284917.tif 000005
【図４】
2005284917.tif 000006